Podtech/llm-jp-corpus-v4-ja_patent huggingface dataset:
(57)【特許請求の範囲】
【請求項１】
フラットパネル又はＣＲカセッテを収納するシリコンカバーであって、
前記シリコンカバーはシリコン素材で形成され、前記フラットパネル又はＣＲカセッテを包み込む形状であり、
前記シリコンカバーの患者に接する側の面は滑りやすく防水性でコーティングされており、
前記シリコンカバーの患者に接する側の面の周縁部には、四角枠状にクッション素材が配置されていることを特徴とするフラットパネル又はＣＲカセッテを収納するシリコンカバー。
【発明の詳細な説明】
【技術分野】
【０００１】  この発明は、医療現場で胸部Ｘ線ポータブル撮影に使われるフラットパネル用のクッション素材カバーに関するものである。
【背景技術】
【０００２】  従来、フラットパネルおよびＣＲカセッテは固い素材で作られており、直接患者の背中に敷いて使用するため、患者の背部に痛みが伴うことがある。
【先行技術文献】
Ａ
【特許文献】
【０００３】
【特許文献１】特開２００８−２３３３００
【発明の概要】
【発明が解決しようとする課題】
【０００４】  これは次のような欠点があった。
従来のフラットパネルを直接患者の背中に敷いて撮影する場合に、フラットパネルが地肌にくっ付き滑らずフラットパネルが入り辛い。またフラットパネルの角が背中に接触して強い痛みを伴う場合がある。
本発明は、以上のような欠点をなくすためになされたものである。
【課題を解決するための手段】
【０００５】    フラットパネルを包み込む形状のカバーを装着する。カバーは簡単に脱着可能な伸縮性のあるシリコン素材で出来ており、表面は滑りやすく防水性でコーティングされている。
本発明は、以上の構成よりなるフラットパネル用シリコンカバーである。
【発明の効果】
【０００６】  シリコン製クッション素材カバーの使用により患者の痛みが軽減される。また滑りやすい表面素材を採用したため容易な位置合わせが可能となった。シリコン素材は洗浄可能であり常に清潔を保つことが可能となる。
【図面の簡単な説明】
【０００７】
【図１】本発明の斜視図である。
【図２】本発明の断面図である。
【発明を実施するための形態】
【０００８】    以下、本発明を実施するための形態について説明する。
フラットパネルを包み込む形状のシリコン製カバーを作成する。
フラットパネル辺縁にクッション素材を使用する。
表面に滑りやすく防水性でコーティングされている。
本発明は、以上のような構造である。
【符号の説明】
【０００９】  １  クッション素材
２  シリコン製カバー
３  フラットパネル
【図１】
0006899052.tif 000002
【図２】
0006899052.tif 000003
(57)【特許請求の範囲】
【請求項１】
水容器（１）内の水に浸漬させた電極（２）間への電圧印加で生じる電流によって蒸気を発生させて加湿する電極式蒸気加湿器であって、
前記電圧印加を周期的にＯＮ・ＯＦＦさせるリレー回路（３）と、前記電極（２）の浸漬水位が低くなるにしたがって前記リレー回路（３）の前記電圧印加のＯＮ時間をＯＦＦ時間よりも長くして設定加湿量となるように前記蒸気の発生量を調整する制御装置（８）と、を備えたことを特徴とする電極式蒸気加湿器。
【発明の詳細な説明】
【技術分野】
【０００１】
本発明は電極式蒸気加湿器に関するものである。
【背景技術】
【０００２】
電極式蒸気加湿器は、水容器内で水に浸漬させた電極間に電圧を印加して電流を流し、ジュール熱で水を沸騰させて蒸気を発生させ、その蒸気を空調機等の給気に噴霧して加湿するのに用いられる。加湿量（蒸気発生量）は、水に触れる電極の表面積（浸漬水位）を給排水により増減させることで電流値を変化させ、制御している。
【先行技術文献】
【特許文献】
【０００３】
【特許文献１】特開平２０１３−２２８１３９号公報
【発明の概要】
【発明が解決しようとする課題】
【０００４】
ところが、蒸気発生等に伴って電極の浸漬水位が増減して電流値が変化すると蒸気発生量も変動するため、加湿量が安定せず制御性が悪い問題があった。
【課題を解決するための手段】
【０００５】
本発明は上記課題を解決するため、水容器内の水に浸漬させた電極間への電圧印加で生じる電流によって蒸気を発生させて加湿する電極式蒸気加湿器であって、前記電極の浸漬水位の増減に比例させて前記電圧印加のデューティ比を変化させることで設定加湿量となるように調整する制御装置を、備えたことを最も主要な特徴とする。
【発明の効果】
【０００６】
電極の浸漬水位が増減して電流値が変化しても、蒸気発生量が安定するので設定加湿量と実加湿量の差が少なくなり、高精度に加湿量を制御できる。無接点の半導体リレーなので長寿命で信頼性が高い。
【図面の簡単な説明】
【０００７】
【図１】本発明の電極式蒸気加湿器の全体構成を示す説明図である。
【図２】電極式蒸気加湿器の加湿制御の説明図である。
【発明を実施するための形態】
【実施例１】
【０００８】
図１は、本発明の電極式蒸気加湿器の一実施例を示しており、この電極式蒸気加湿器は、水容器１、電極２、リレー回路３、ホース４、加湿ノズル５、給水部６と、排水部７及び制御装置８を、備えている。水容器１の内部には、複数の電極２…を隔てて設け、加湿用の水を入れて電極２…を浸漬させる。この電極２…間に電圧印加して電流を発生させ、電流値に応じた量の加湿用蒸気を発生させて加湿する。
【０００９】
水容器１で発生させた加湿用の蒸気は、ホース４を介して管状の加湿ノズル５から放出する。給水部６は、水容器１へ水を送る給水管９に電磁弁１０を設けて成り、電磁弁１０を介して水を給水する。排水部７は、水容器１から水を排出する排水管１１にポンプ１２を設けて成り、ポンプ１２で排水する。
【００１０】
リレー回路３は、ソリッドステートリレーなどの無接点の半導体リレー等で構成し、電圧印加を周期的にＯＮ・ＯＦＦさせる。制御装置８は、電流値検出器１３、水位検出器１４及び設定器１５を備え、電極２の浸漬水位と、電圧印加のＯＮ・ＯＦＦ時間と、を制御する。
【００１１】
電流値検出器１３は、電極２間に流れる電流値を検出する。水位検出器１４は、水容器１の浸漬水位を検出する。加湿量、電極２の浸漬上限水位及び浸漬下限水位等の設定は、設定器１５で行う。浸漬上限水位と浸漬下限水位は、設定加湿量を超える蒸気を発生させる電流値となるように設定する。
【００１２】
図２に示すように、制御装置８によって、電極２の浸漬下限水位から浸漬上限水位になるまで給水を続け、浸漬上限水位から浸漬下限水位になるまで給水を停止する。このサイクルを蒸気加湿器の稼働中繰り返す。稼働中は、電圧印加による蒸気発生に伴い電極２の浸漬水位が低くなるにしたがって、リレー回路３の電圧印加のＯＮ時間をＯＦＦ時間よりも長くして設定加湿量となるように蒸気発生量を調整する。
【００１３】
なお、本発明は上述の実施例に限定されない。例えば、電極２の数の増減や位置、形状などの構造を変更したり、リレー回路３を、電磁開閉器等で構成してもよい。
【符号の説明】
【００１４】
１    水容器
２    電極
３    リレー回路
８    制御装置
【要約】
【課題】  加湿量を高精度に制御できる電極式蒸気加湿器を得る。
【解決手段】  水容器（１）内の水に浸漬させた電極（２）間への電圧印加で生じる電流によって蒸気を発生させて加湿する電極式蒸気加湿器であって、電圧印加を周期的にＯＮ・ＯＦＦさせるリレー回路（３）と、電極（２）の浸漬水位が低くなるにしたがってリレー回路（３）の電圧印加のＯＮ時間をＯＦＦ時間よりも長くして設定加湿量となるように蒸気発生量を調整する制御装置（８）と、を備える。
【選択図】図１【図１】
0006974557.tif 000002
【図２】
0006974557.tif 000003